(57)【要約】【課題】すすぎ処理時に食器を確実に除菌するようにした上ですすぎ処理の完了時間を知り得るようにした使い勝手の良い食器洗浄機を提供する。【解決手段】この食器洗浄機においては、食器の洗浄処理の開始前、すすぎ湯タンク内のすすぎ湯の温度が設定温度に達していなければ、ヒータが同すすぎ湯を前記設定温度まで昇温させるのに要する時間を昇温時間として算出し（ステップ１１４）、昇温タイマが同昇温時間の算出後の経過時間を計測する。そして、上記洗浄処理の終了後、上記昇温時間の算出から同昇温時間が経過していなければ、昇温タイマの計時に基づいて食器のすすぎ処理（ステップ１５０）の開始を遅延させる（ステップ１３８）。このとき、上記算出された昇温時間及び昇温タイマの計時に基づきすすぎ処理完了までの残り時間を算出して（ステップ１４２）、同算出された残り時間を表示器により表示する（ステップ１４４）。【選択図】　　図３
2004057474.tif 000002
【特許請求の範囲】
【請求項１】
食器を収容する洗浄室と、
前記洗浄室内に収容した食器を洗浄するための洗浄水を貯える洗浄水タンクと、
前記洗浄水タンク内の洗浄水を前記洗浄室内に配設されて洗浄水を噴射する洗浄ノズルに供給する洗浄水供給手段と、
前記洗浄室内に収容した食器をすすぐためのすすぎ湯を貯えるすすぎ湯タンクと、
前記すすぎ湯タンク内のすすぎ湯を前記洗浄室内に配設されてすすぎ湯を噴射するすすぎノズルに供給するすすぎ湯供給手段と、
前記すすぎ湯タンク内のすすぎ湯を加熱するすすぎ湯加熱手段とを備え、
前記洗浄水供給手段による前記洗浄ノズルへの洗浄水の供給、及び前記すすぎ湯供給手段による前記すすぎノズルへのすすぎ湯の供給をそれぞれ所定時間ずつ順次実行するようにした食器洗浄機において、
前記すすぎ湯タンク内のすすぎ湯の温度を検出するすすぎ湯温検出手段と、
前記すすぎ湯温検出手段により検出されたすすぎ湯の温度に基づいて前記すすぎ湯加熱手段が前記すすぎ湯タンク内のすすぎ湯を所定の設定温度まで昇温させるのに要する時間を算出する昇温時間算出手段と、
前記昇温時間算出手段による昇温時間の算出後の経過時間を計測する計時手段と、
前記計時手段による計時に基づいて前記昇温時間算出手段による昇温時間の算出から同昇温時間が経過するまで前記すすぎ湯供給手段によるすすぎ湯の供給の開始を遅延させるすすぎ湯供給遅延手段と、
前記昇温時間算出手段により算出された昇温時間及び前記計時手段により計測されている前記昇温時間の算出後の経過時間に基づいて、前記すすぎ湯供給遅延手段による制御下にて前記すすぎ湯供給手段がすすぎ湯の供給を開始して終了するまでの残り時間を算出する残り時間算出手段と、
前記残り時間算出手段により算出されたすすぎ湯の供給終了までの残り時間を表示する表示器を備えたことを特徴とする食器洗浄機。
【請求項２】
前記請求項１に記載の食器洗浄機において、
前記計時手段による計時に基づいて、前記洗浄水供給手段による洗浄ノズルへの洗浄水の供給の開始から前記所定時間が経過した時点で前記昇温時間算出手段による昇温時間の算出から同昇温時間が経過していなかった場合に警報を発生する警報器を設けたことを特徴とする食器洗浄機。
【請求項３】
前記請求項１又は請求項２のうちのいずれかに記載の食器洗浄機において、
前記計時手段による計時に基づいて、前記洗浄水供給手段による洗浄ノズルへの洗浄水の供給の開始から前記所定時間が経過した時点で前記昇温時間算出手段による昇温時間の算出から同昇温時間が経過していなかった場合に前記洗浄水供給手段による洗浄ノズルへの洗浄水の供給を継続させるようにしたことを特徴とする食器洗浄機。
【発明の詳細な説明】
【０００１】
【発明の属する技術分野】
本発明は、食器を洗浄する食器洗浄機に関する。
【０００２】
【従来の技術】
従来、この種の装置は、食器を収容する洗浄室と、洗浄室内に収容した食器を洗浄するための洗浄水を貯える洗浄水タンクと、洗浄水タンク内の洗浄水を洗浄室内に配設されて洗浄水を噴射する洗浄ノズルに供給する洗浄水供給手段と、洗浄室内に収容した食器をすすぐためのすすぎ湯を貯えるすすぎ湯タンクと、すすぎ湯タンク内のすすぎ湯を洗浄室内に配設されてすすぎ湯を噴射するすすぎノズルに供給するすすぎ湯供給手段と、すすぎ湯タンク内のすすぎ湯を加熱するすすぎ湯加熱手段とを備え、すすぎ湯加熱手段によりすすぎ湯タンク内のすすぎ湯を適宜加熱しながら、洗浄水供給手段による洗浄ノズルへの洗浄水の供給（洗浄処理）、及びすすぎ湯供給手段によるすすぎノズルへのすすぎ湯の供給（すすぎ処理）をそれぞれ所定時間ずつ順次実行するようにしている。この場合、例えば特開２０００−３００５０１号公報に示されているように、上記洗浄処理中にすすぎ湯タンク内のすすぎ湯の温度を検出し、同検出したすすぎ湯の温度が所定の設定温度より低かった場合はすすぎ処理の開始を遅延させてすすぎ湯タンク内のすすぎ湯を加熱手段により前記設定温度まで昇温させてからすすぎ処理を開始するようにして、すすぎ処理時に常に確実に設定温度以上のすすぎ湯によりすすぐようにして食器を確実に除菌するようにしたものがあった。
【０００３】
【発明が解決しようとする課題】
上記すすぎ湯タンク内のすすぎ湯の温度に基づきすすぎ湯の供給の開始を遅延させる従来装置においては、すすぎ湯の供給の開始が遅延されるとすすぎ湯の供給の終了も遅延されて食器のすすぎ処理の完了時間が分からなくなるため、使い勝手が悪いという問題があった。
【０００４】
【発明の概要】
本発明の目的は、すすぎ処理時に食器を確実に除菌するようにした上ですすぎ処理の完了時間を知り得るようにした使い勝手の良い食器洗浄機を提供することにある。
【０００５】
本発明の構成上の特徴は、前記洗浄室、洗浄水タンク、洗浄水供給手段、すすぎ湯タンク、すすぎ湯供給手段、すすぎ湯加熱手段を備え、洗浄水供給手段による洗浄ノズルへの洗浄水の供給、及びすすぎ湯供給手段によるすすぎノズルへのすすぎ湯の供給をそれぞれ所定時間ずつ順次実行するようにした食器洗浄機において、すすぎ湯タンク内のすすぎ湯の温度を検出するすすぎ湯温検出手段と、すすぎ湯温検出手段により検出されたすすぎ湯の温度に基づいてすすぎ湯加熱手段がすすぎ湯タンク内のすすぎ湯を所定の設定温度まで昇温させるのに要する時間を算出する昇温時間算出手段と、昇温時間算出手段による昇温時間の算出後の経過時間を計測する計時手段と、計時手段による計時に基づいて昇温時間算出手段による昇温時間の算出から同昇温時間が経過するまですすぎ湯供給手段によるすすぎ湯の供給の開始を遅延させるすすぎ湯供給遅延手段と、昇温時間算出手段により算出された昇温時間及び計時手段により計測されている昇温時間の算出後の経過時間に基づいて、すすぎ湯供給遅延手段による制御下にてすすぎ湯供給手段がすすぎ湯の供給を開始して終了するまでの残り時間を算出する残り時間算出手段と、前記残り時間算出手段により算出されたすすぎ湯の供給終了までの残り時間を表示する表示手段を備えたことにある。
【０００６】
上記特徴を有する食器洗浄機においては、昇温時間算出手段が、すすぎ湯温検出手段により検出されたすすぎ湯の温度に基づいてすすぎ湯加熱手段がすすぎ湯タンク内のすすぎ湯を所定の設定温度まで昇温させるのに要する時間を算出し、計時手段が、その昇温時間算出手段による昇温時間の算出後の経過時間を計測する。そして、すすぎ湯供給遅延手段が、計時手段による計時に基づいて上記昇温時間の算出から同昇温時間が経過するまですすぎ処理の開始を遅延させるため、常に確実にすすぎ湯タンク内のすすぎ湯が前記設定温度に達してからすすぎ処理が開始されることになり、すすぎ処理時に食器を確実に除菌することができる。このとき、残り時間算出手段が、昇温時間算出手段により算出された昇温時間及び計時手段により計測されている昇温時間の算出後の経過時間に基づいて、すすぎ湯供給遅延手段による制御下にてすすぎ湯供給手段がすすぎ湯の供給を開始して終了するまでの残り時間を算出し、表示器が、その残り時間算出手段により算出されたすすぎ湯の供給終了までの残り時間を表示する。したがって、使用者がすすぎ処理の完了時間を知ることができ、使い勝手が良い。
【０００７】
本発明の他の構成上の特徴は、上記特徴を有する食器洗浄機において、前記計時手段による計時に基づいて、前記洗浄水供給手段による洗浄ノズルへの洗浄水の供給の開始から前記所定時間が経過した時点で前記昇温時間算出手段による昇温時間の算出から同昇温時間が経過していなかった場合に警報を発生する警報器を設けたことにある。これによれば、すすぎ湯供給遅延手段がすすぎ処理の開始を遅延させる場合に警報が発せられるようになるため、当該食器洗浄機の使い勝手がさらに向上する。
【０００８】
本発明の他の構成上の特徴は、上記各特徴のうちのいずれかを有する食器洗浄機において、前記計時手段による計時に基づいて、前記洗浄水供給手段による洗浄ノズルへの洗浄水の供給の開始から前記所定時間が経過した時点で前記昇温時間算出手段による昇温時間の算出から同昇温時間が経過していなかった場合に前記洗浄水供給手段による洗浄ノズルへの洗浄水の供給を継続させるようにしたことにある。これによれば、すすぎ湯供給遅延手段がすすぎ処理の開始を遅延させる場合には洗浄処理が継続することになるため、すすぎ処理の開始が遅延される時間を無駄にすることなく効率的に食器を洗浄することができる。
【０００９】
【発明の実施の形態】
ａ．第１の実施形態
以下、本発明の第１の実施形態について図面を参照して説明する。図１に示した食器洗浄機は、図示しない蓋によって前面を開閉されて食器を収容する洗浄室１０と、洗浄室１０内に収容した食器を洗浄するための洗浄水を貯える洗浄水タンク２０と、洗浄室１０内に収容した食器をすすぐためのすすぎ湯を貯えるすすぎ湯タンク３０とを備えている。
【００１０】
洗浄室１０内には、上下一対の洗浄ノズル１１，１２及びすすぎノズル１３，１４がそれぞれ対向して配設されている。各ノズル１１〜１４は、圧送された洗浄水及びすすぎ湯をそれぞれ回転しながら洗浄室１０内に収容された食器に噴射するものである。
【００１１】
洗浄水タンク２０は、洗浄室１０の下方に配設されて、洗浄室１０とフィルタ２１を介して連通して洗浄室１０から流入する洗浄水を回収するようになっている。洗浄水タンク２０には、導管２２を介して洗浄ポンプ２３が接続されている。洗浄ポンプ２３は洗浄水供給手段であり、洗浄水タンク２０内の洗浄水を導管２２を通して吸入して導管２４を通して各洗浄ノズル１１，１２に圧送する。洗浄水タンク２０にはオーバーフローパイプ２５が侵入しており、洗浄水タンク２０内は常に所定水位未満に保たれるようになっている。
【００１２】
すすぎ湯タンク３０には、導管３１を介してすすぎポンプ３２が接続されている。すすぎポンプ３２はすすぎ湯供給手段であり、すすぎ湯タンク３０内のすすぎ湯を導管３１を通して吸入して導管３３を通して各すすぎノズル１３，１４に圧送する。すすぎ湯タンク３０には、同タンク３０内のすすぎ湯を加熱するヒータ３４と、同すすぎ湯の温度を検出するすすぎ湯温センサ３５が組み付けられている。
【００１３】
すすぎ湯タンク３０の上部には、図示しない外部給湯源に接続された給湯管３６の一端が侵入している。給湯管３６の中間部には給湯バルブ３７が介装されており、給湯管３６は給湯バルブ３７が開状態にあるとき前記外部給湯源からの湯をすすぎ湯タンク３０内に供給する。すすぎ湯タンク３０には、同タンク３０内の水位が所定水位未満であるときオフ状態に保たれ同タンク３０内の水位が前記所定水位以上となったときオン状態となる定水位フロートスイッチ３８が組み付けられている。また、すすぎ湯タンク３０にはオーバーフローパイプ３９が侵入しており、すすぎ湯タンク３０内は常に前記所定水位より高い所定の上限水位未満に保たれるようになっている。
【００１４】
上記各ポンプ２３，３２、ヒータ３４、すすぎ湯温センサ３５、給湯バルブ３７、及び定水位スイッチ３８には、図２にて示すように電気制御回路４０が接続されている。電気制御回路４０には、食器の洗浄処理の開始を指示するためのスタートスイッチ４１、上記洗浄処理後のすすぎ処理の開始の遅延を報知する警報器４２、上記すすぎ処理の完了までの残り時間を表示する表示器４３、及び上記すすぎ処理の終了を報知する終了ブザー４４も接続されている。
【００１５】
また、電気制御回路４０には、すすぎ湯タンク３０内のすすぎ湯の昇温時間を計測するための昇温タイマ４０ａ、及び食器の洗浄時間を計測するための洗浄タイマ４０ｂが内蔵されている。電気制御回路４０は、すすぎ湯温センサ３５による検出、定水位スイッチ３８の状態、スタートスイッチ４１の操作、及び各タイマ４０ａ，４０ｂによる計時に応じて図３に示したフローチャートに対応したプログラムを実行し、ポンプ２３，３２及びヒータ３４の作動、並びに給湯バルブ３７の開閉を制御する。
【００１６】
次に、上記のように構成した食器洗浄機の動作を図３のフローチャートに沿って説明する。最初、図示しない電源スイッチが投入されると、電気制御回路４０は図３のステップ１００にてプログラムの実行を開始し、ステップ１０２にてフラグＦＬＧを値“０”に設定する。フラグＦＬＧは、値“０”，“１”にてそれぞれヒータ３４が非作動中及び作動中であることを表すものである。
【００１７】
上記設定後、電気制御回路４０はステップ１０４の判定処理を繰り返し実行してスタートスイッチ４１がオン操作されるのを待つ。このとき洗浄室１０内に食器が収容されてスタートスイッチ４１がオン操作されると、電気制御回路４０はプログラムをステップ１０６以降へ進めて食器の洗浄処理を開始する。
【００１８】
上記洗浄処理の開始に当たり、電気制御回路４０はステップ１０６にて給湯処理を実行する。同処理においては、まず給湯バルブ３７を開いてすすぎ湯タンク３０内にすすぎ湯を供給し、この給湯によりすすぎ湯タンク３０内の水位が所定水位に達して定水位フロートスイッチ３８がオン状態となったら、すすぎポンプ３２を所定時間だけ作動させる。これにより、すすぎ湯タンク３０内のすすぎ湯がすすぎノズル１３，１４から噴射されて洗浄室１０及びフィルタ２１を介して洗浄水タンク２０内に流れ込んで洗浄水として貯えられ、同タンク２０は所定水位まで満たされる。そして、上記すすぎポンプ３０の作動終了後、同作動によって低下したすすぎ湯タンク３０内の水位が再び所定水位に達したら、定水位フロートスイッチ３８による検出に基づき給湯バルブ３５を閉じて給湯を終了する。
【００１９】
ステップ１０８においては、すすぎ湯温センサ３５により検出したすすぎ湯タンク３０内のすすぎ湯の温度が予め設定された所定の設定温度に達しているか否かを判定する。このときすすぎ湯タンク３０内のすすぎ湯の温度が十分に高く上記検出温度が設定温度に達していれば、電気制御回路４０は「ＹＥＳ」と判定してステップ１１０〜１１６の処理を実行することなくプログラムをステップ１１８以降へ進める。一方、このとき上記検出温度が設定温度に達していなければ、電気制御回路４０は「ＮＯ」との判定のもとにプログラムをステップ１１０へ進める。
【００２０】
ステップ１１０においては、ヒータ３４の作動を開始してすすぎ湯タンク３０内のすすぎ湯の加熱を開始し、ステップ１１２においては、フラグＦＬＧを値“１”に設定する。ステップ１１４においては、上記すすぎ湯温センサ３５により検出したすすぎ湯タンク３０内のすすぎ湯の温度に基づいて、ヒータ３４が同すすぎ湯を上記設定温度まで昇温させるのに要する時間を昇温時間として算出する。そして、ステップ１１６においては、昇温タイマ４０ａをリセットスタートして、上記ステップ１１４における昇温時間の算出からの経過時間を計測し始める。
【００２１】
ステップ１１８においては、洗浄ポンプ２３の作動を開始して洗浄ノズル１１，１２への洗浄水の供給を開始する。これにより、洗浄ノズル１１，１２が洗浄室１０内の食器に向けて洗浄水を噴射して食器が洗浄され始める。ステップ１２０においては、洗浄タイマ４１ｂをリセットスタートして、上記洗浄開始からの経過時間を計測し始める。
【００２２】
ステップ１２２においては、フラグＦＬＧが値“１”であるか否かを判定する。このときすすぎ湯タンク３０内のすすぎ湯の温度が設定温度に達していてヒータ３４が非作動状態でありフラグＦＬＧが前記ステップ１０２にて初期設定された値“０”のままであったなら、電気制御回路４０は「ＮＯ」と判定してプログラムをステップ１２４へ進める。ステップ１２４においては、前記ステップ１２０にてリセットスタートした洗浄タイマ４０ｂの計時が所定の洗浄時間（例えば、４０秒）に達したか否かを判定する。このとき洗浄タイマ４０ｂの計時が前記洗浄時間に達していなければ、「ＮＯ」と判定してプログラムをステップ１２２へ戻す。以後、電気制御回路４０はステップ１２２，１２４の判定処理を繰り返し実行する。
【００２３】
一方、前記ステップ１０８の判定処理の実行時にすすぎ湯タンク３０内のすすぎ湯の温度が設定温度に達しておらず前記ステップ１１０，１１２にてヒータ３４の作動が開始されていてフラグＦＬＧが値“１”に設定されていた場合、電気制御回路４０はステップ１２２の実行時に「ＹＥＳ」と判定してプログラムをステップ１２６へ進める。ステップ１２６においては、前記ステップ１１６にてリセットスタートした昇温タイマ４０ａの計時が前記ステップ１１４にて算出した昇温時間に達したか否かを判定する。このとき昇温タイマ４０ａの計時が前記昇温時間に達していなければ、「ＮＯ」と判定してプログラムを前記ステップ１２４へ進める。以後、電気制御回路４０はステップ１２２，１２６，１２４の判定処理を繰り返し実行する。
【００２４】
上記ステップ１２２，１２６，１２４の繰り返し実行中、前記ステップ１１４における昇温時間の算出から同昇温時間が経過して前記ステップ１１６にてリセットスタートした昇温タイマ４０ａの計時が同昇温時間に達した場合、電気制御回路４０はステップ１２６の実行時に「ＹＥＳ」と判定してプログラムをステップ１２８以降へ進める。ステップ１２８においては、ヒータ３４の作動を停止してすすぎ湯タンク３０内のすすぎ湯の加熱を停止する。ステップ１３０においては、フラグＦＬＧの値を“０”に設定する。これにより、電気制御回路４０は、ステップ１２２の実行時に「ＮＯ」と判定するようになり、以後、ステップ１２２，１２４の判定処理を繰り返し実行する。
【００２５】
上記ステップ１２２，１２４又はステップ１２２，１２６，１２４の繰り返し実行中、洗浄ノズル１１，１２は洗浄水を噴射し続け、同噴射された洗浄水は、食器洗浄後に洗浄室１０内からフィルタ２１を介して洗浄水タンク２０内に流れ込み、再び洗浄ポンプ２３によって洗浄ノズル１１，１２に供給される。この循環により、洗浄室１０内の食器の洗浄が継続される。このとき、前記ステップ１１８における洗浄開始から洗浄時間が経過して前記ステップ１２０にてリセットスタートした洗浄タイマ４０ｂの計時が前記洗浄時間に達すると、電気制御回路４０はステップ１２４の実行時に「ＹＥＳ」と判定してプログラムをステップ１３２へ進め、洗浄ポンプ２３の作動を停止させて食器の洗浄を終了する。
【００２６】
上記洗浄終了後、電気制御回路４０は、ステップ１３４にて各ポンプ２３，３２の作動を所定時間（例えば、５秒）だけ休止した上で、ステップ１３６にてフラグＦＬＧが値“１”であるか否かを判定する。このときすすぎ湯タンク３０内のすすぎ湯の温度が設定温度に達していてヒータ３４が非作動状態でありフラグＦＬＧが前記ステップ１０２又はステップ１３０にて設定された値“０”であったなら、電気制御回路４０は「ＮＯ」と判定してステップ１４０〜１４８の処理を実行することなくプログラムをステップ１５０へ進めて食器のすすぎ処理を開始する。一方、前記ステップ１１０にて開始されたヒータ３４の作動が継続していてフラグＦＬＧが前記ステップ１１２にて設定された値“１”であった場合、電気制御回路４０は「ＹＥＳ」と判定してプログラムをステップ１３８へ進め、すすぎ湯タンク３０内のすすぎ湯の昇温が完了するまで上記すすぎ処理の開始を遅延させる。
【００２７】
ステップ１３８においては、前記ステップ１１６にてリセットスタートした昇温タイマ４０ａの計時が前記ステップ１１４にて算出した昇温時間に達したか否かを判定する。このとき昇温タイマ４０ａの計時が前記昇温時間に達していなければ、「ＮＯ」と判定してプログラムをステップ１４０以降へ進める。ステップ１４０においては、警報器４２により警報を発生してすすぎ処理の開始が遅延されていることを報知する。ステップ１４２においては、前記ステップ１１４にて算出した昇温時間から前記ステップ１１６にてリセットスタートした昇温タイマ４０ａの計測時間を減じた時間を昇温完了すなわちすすぎ処理の開始までの残り時間として算出し、同昇温完了及びすすぎ処理の開始までの残り時間に予め設定された所定のすすぎ時間（例えば、７秒）を加えた時間をすすぎ処理完了までの残り時間として算出する。ステップ１４４においては、同算出したすすぎ処理完了までの残り時間を表示器４３にて表示する。以後、これらステップ１３８〜１４４の処理が繰り返し実行されることにより、表示器４３にてすすぎ処理完了までの残り時間が随時更新表示されながら、ステップ１５０のすすぎ処理の開始が遅延される。
【００２８】
上記ステップ１３８〜１４４の繰り返し実行中、前記ステップ１１４における昇温時間の算出から同昇温時間が経過して前記ステップ１１６にてリセットスタートした昇温タイマ４０ａの計時が同昇温時間に達すると、電気制御回路４０はステップ１３８の実行時に「ＹＥＳ」と判定してプログラムをステップ１４６以降へ進める。ステップ１４６においては、ヒータ３４の作動を停止してすすぎ湯タンク３０内のすすぎ湯の加熱を停止する。ステップ１４８においては、フラグＦＬＧの値を“０”に設定する。そして、電気制御回路４０はプログラムをステップ１５０へ進めて食器のすすぎ処理を開始する。
【００２９】
ステップ１５０においては、すすぎポンプ３２を前記すすぎ時間だけ作動させてすすぎノズル１３，１４にすすぎ湯を供給する。これにより、すすぎノズル１３，１４から洗浄室１０内の食器に向けてすすぎ湯が噴射されて食器がすすがれる。同処理後、電気制御回路４０は、ステップ１５２にて終了ブザー４４を作動させて上記すすぎ処理の終了を報知した上で、プログラムを再びステップ１０４へ戻してスタートスイッチ４１のオン操作を待つ。
【００３０】
上述のように、上記実施形態においては、食器の洗浄処理の開始前、すすぎ湯タンク３０内のすすぎ湯の温度が設定温度に達していなければ、ヒータ３４を作動させて同すすぎ湯の加熱を開始するとともに（ステップ１１２）、同ヒータ３４が同すすぎ湯を前記設定温度まで昇温させるのに要する時間を昇温時間として算出し（ステップ１１４）、昇温タイマ４０ａが同昇温時間の算出後の経過時間を計測する。そして、上記洗浄処理の終了後、上記昇温時間の算出から同昇温時間が経過していなければ、昇温タイマ４０ａの計時に基づいて食器のすすぎ処理（ステップ１５０）の開始を遅延させる（ステップ１３８）。したがって、確実にすすぎ湯タンク３０内のすすぎ湯が設定温度に達してからすすぎ処理を開始することになるため、すすぎ処理時に食器を確実に除菌することができる。このとき、上記算出された昇温時間及び昇温タイマ４０ａの計時に基づきすすぎ処理完了までの残り時間が算出されて（ステップ１４２）、表示器４３が同算出された残り時間を表示する。したがって、使用者がすすぎ処理の完了時間を知ることができ、使い勝手が良い。
【００３１】
また、上記すすぎ処理の開始を遅延する場合には警報器４２が警報を発生して同遅延を報知するため、当該食器洗浄機の使い勝手がさらに使い易くなっている。
【００３２】
ｂ．第２の実施形態
以下、本発明の第２の実施形態について図面を参照して説明する。同実施形態は、上記第１の実施形態に係る食器洗浄機において、すすぎ処理の開始を遅延する場合に同すすぎ処理の開始まで洗浄処理を継続するようにしたものである。
【００３３】
同実施形態においては、電気制御回路４０は図３に代えて図４に示したフローチャートに対応したプログラムを実行する。電気制御回路４０は、洗浄開始から洗浄時間が経過したときすなわちステップ１２４にて「ＹＥＳ」と判定したとき、ヒータ３４が作動中すなわちフラグＦＬＧが値“１”であれば、洗浄ポンプ２３の作動を継続させたままステップ１３６における判定のもとに前記ステップ１３８〜１４４の処理を繰り返し実行し、表示器４３にてすすぎ処理完了までの残り時間を表示しながらステップ１５０のすすぎ処理の開始を遅延する。そして、同繰り返し実行中に昇温タイマ４０ａの計時が昇温時間に達すると、ステップ１３８における判定のもとにステップ１４６にてヒータ３４の作動を停止させてステップ１４８にてフラグＦＬＧの値を“０”に設定した後、前記同様のステップ１３２，１３４の処理を実行して洗浄ポンプ２３の作動を停止させ両ポンプ２３，３２の作動を休止させ、ステップ１５０のすすぎ処理を実行する。
【００３４】
上述のように、上記実施形態においては、洗浄開始から洗浄時間が経過した時点で昇温時間の算出から同昇温時間が経過していなければ洗浄処理が継続されるため、すすぎ処理の開始が遅延される時間を無駄にすることなく効率的に食器を洗浄することできる。
【図面の簡単な説明】
【図１】本発明の第１の実施形態に係る食器洗浄機の全体を示す概略図である。
【図２】前記食器洗浄機の電気制御部を示すブロック図である。
【図３】図２の電気制御回路にて実行されるプログラムに対応したフローチャートである。
【図４】本発明の第２の実施形態に係り、図２の電気制御回路にて実行されるプログラムに対応したフローチャートである。
【符号の説明】
１０…洗浄室、１１，１２…洗浄ノズル、１３，１４…すすぎノズル、２０…洗浄水タンク、２３…洗浄ポンプ、３０…すすぎ湯タンク、３２…すすぎポンプ、３４…ヒータ、３５…すすぎ湯温センサ、４０…電気制御回路、４０ａ…昇温タイマ、４２…警報器、４３…表示器。
【図１】
2004057474.tif 000003
【図２】
2004057474.tif 000004
【図３】
2004057474.tif 000005
【図４】
2004057474.tif 000006